(57)【要約】      （修正有）【課題】雨を防げ、使い勝手が良く軽量かつ安価な小型電源装置用カバーを提供する。【解決手段】このカバー１は四角形の天井板２の周囲に４枚の四角形状の側板３を揺動自在に接続して構成してある。カバー１には小型電源装置４にカバーを固定するための帯具９を有しており、小型電源装置４の上に天井板２を配置し、側板３を小型電源装置４の側面を覆うように下げるとともに、帯具９で小型電源装置４に対して上下方向の胴巻きにしてカバー１を固定する。【選択図】図２
0003141975.tif 000002
【実用新案登録請求の範囲】
【請求項１】
天井板の周囲に複数の側板を揺動自在に接続して構成した小型電源装置用のカバーであって、前記カバーが、前記小型電源装置に前記カバーを固定するための固定手段を有しており、
前記小型電源装置の上に天井板を配置し、前記側板で小型電源装置の側面を覆うように下げ、前記固定手段で前記カバーを前記小型電源装置に固定するようにしたこと特徴とする、小型電源装置用カバー。
【請求項２】
請求項１に記載の小型電源装置用カバーにおいて、前記固定手段を前記天井板、前記側板の少なくとも一方に帯具を取り付けることによって構成し、その帯具を前記小型電源装置に被せたカバーに対して上下方向の胴巻きにすることによって固定するようにした、小型電源装置用カバー。
【請求項３】
請求項２に記載の小型電源装置用カバーにおいて、天井板又は側板に、前記帯具を中に通して保持する保持体を設けた、小型電源装置用カバー。
【請求項４】
請求項１から請求項３のいずれか一項に記載の小型電源装置用カバーにおいて、前記固定手段を磁石で構成した、小型電源装置用カバー。
【請求項５】
請求項１から請求項４のいずれか一項に記載の小型電源装置用カバーにおいて、前記天井板が四辺形であり、前記側板が前記四辺に対応して４個設けられている、小型電源装置用カバー。
【請求項６】
請求項１から請求項５のいずれか一項に記載の小型電源装置用カバーにおいて、袋に金属製薄板を入れることによって前記天井板を構成し、袋に合成樹脂製薄板を入れることによって前記側板を構成した、小型電源装置用カバー。
【請求項７】
請求項１から請求項６のいずれか一項に記載の小型電源装置用カバーにおいて、前記各袋を耐熱性合成樹脂素材で構成した、小型電源装置用カバー。
【請求項８】
請求項１から請求項７のいずれか一項に記載の小型電源装置用カバーにおいて、前記側板に隣り合う側板との間を連結する連結具を設けた、小型電源装置用カバー。
【請求項９】
請求項８に記載の小型電源装置用カバーにおいて、前記連結具を、前記隣り合う側板の端部周辺にそれぞれ設けられた開口で構成し、それらの開口間を紐等で結ぶことができるように構成した、小型電源装置用カバー。
【請求項１０】
請求項８に記載の小型電源装置用カバーにおいて、前記連結具を前記側板の端部周辺に設けられた連結帯で構成し、その連結帯がマジックテープ（登録商標）を備えており、前記マジックテープが隣り合う側板の表面に設けられたマジックテープと係合することによって前記側板間の連結及び解除を行えるようにした、小型電源装置用カバー。
【請求項１１】
請求項１から請求項１０のいずれか一項に記載の小型電源装置用カバーにおいて、前記天井板、前記側板の少なくとも一つの板に商標、ロゴマーク、警告文、又は案内文のような宣伝広告を記載した、小型電源装置用カバー。
【考案の詳細な説明】
【技術分野】
【０００１】
本考案は小型電源装置用カバーに関し、特に溶接作業などを外部で行なう場合に好適な小型電源装置用カバーに関する。
【背景技術】
【０００２】
従来、建設現場などにおいて溶接作業を行なう場合、小型電源装置を溶接現場の近くに設置し、その小型電源装置から溶接機に電源を供給する方法が一般的である。小型電源装置としては蓄電池を備えたものが良く使用され、操作パネルから供給する電圧、電流値を制御できるようにしてある。
そのような小型電源装置に関する出願の一例としては下記特許文献１がある。
【特許文献３】特開平５−２４５６５０「スポット溶接機用電源装置」
【考案の開示】
【考案が解決しようとする課題】
【０００３】
小型電源装置が設置される現場には、上部に屋根などがなく雨ざらしになる場所も多い。そのような場合、従来では有り合わせの木板や鉄板などを小型電源装置の上に置いたりして雨を防ぐことが慣用的に行なわれていた。
しかし、適当な木板などがないときには、雨ざらしになるうえに、木板等があったとしても横殴りの雨や強風によって木板等が飛ばされることもあって問題になっていた。
また、小型電源装置に水が付着して感電事故が発生したり、小型電源装置が故障するという問題が生じていた。
さらに、ありあわせの木板、鉄板を小型電源装置上に置くというのは見た目にも好ましいものではなかった。
【０００４】
本考案は上記課題に鑑みてなされたものであり、本考案の目的は上記課題を解決できる小型電源装置用カバーを提供することにある。
具体的な目的の一例を示すと、以下の通りである。
（ａ）雨を防げ、使い勝手が良く軽量かつ安価な小型電源装置用カバーを提供する。
なお、上記に記載した以外の考案の課題、その解決手段及びその効果は後述する明細書内の記載において詳しく説明する。
【課題を解決するための手段】
【０００５】
本考案は多面的に表現できるが、例えば、代表的なものを挙げると次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【０００６】
第１考案は、天井板２の周囲に複数の側板３を揺動自在に接続して構成した小型電源装置４用のカバー１であって、前記カバー１が、前記小型電源装置４に前記カバー１を固定するための固定手段を有しており、
前記小型電源装置４の上に天井板２を配置し、前記側板３で小型電源装置４の側面を覆うように下げ、前記固定手段で前記カバー１を前記小型電源装置４に固定するようにしたこと特徴とする。
第１考案であれば、小型電源装置の上に天井板を配置し、側板で小型電源装置の側面を覆うように下げ、固定手段でカバーを小型電源装置に固定するので軽量の部材でカバーの各板を製造しても、強風によってもカバーが飛ばされることなく、小型電源装置を雨から確実に守ることができる。
【０００７】
第２考案は、前記固定手段を前記天井板２、前記側板３の少なくとも一方に帯具９を取り付けることによって構成し、その帯具９を前記小型電源装置４に被せたカバー１に対して上下方向の胴巻きにすることによって固定するようにしたことを特徴とする。
第２考案であれば、帯具を小型電源装置に対して上下方向の胴巻きにしてカバーを固定するようにしたので、確実かつ簡単にカバーを小型電源装置に固定することができる。
第３考案は、天井板２又は側板３に、前記帯具９を中に通して保持する保持体２０を設けたことを特徴とする。
第３考案であれば、保持体によって帯具を天井板又は側板の所定位置で保持できるので、小型電源装置の固定状態を安定させることができる。また、天井板又は側板の所定位置で保持するので、帯具を使用しやすくなる。
第４考案は、前記固定手段を磁石５で構成したことを特徴とする。
第４考案であれば、通常の小型電源装置の少なくとも一面は磁石が吸着する金属で構成されていることが多いので、磁石を小型電源装置の面に固定することでカバーを小型電源装置に固定することができる。
【０００８】
第５考案は、前記天井板２が四辺形であり、前記側板３が前記四辺に対応して４個設けられていることを特徴とする。
第５考案であれば、小型電源装置は四角形、長方形、正方形、菱形のカバー内に載置しやすい形状の装置が多いので、カバーの形を小型電源装置に対応した形にすることができる。
【０００９】
第６考案は、袋６ａに金属製薄板８を入れることによって前記天井板２を構成し、袋６ｂ〜６ｅに合成樹脂製薄板７を入れることによって前記側板３を構成したことを特徴とする。
第６考案であれば、袋に金属製薄板を入れることによって天井板を構成することで、溶接などの火花が小型電源装置上に落ちても装置が故障したりすることを防止できる。また、袋に合成樹脂製薄板を入れることによって側板を構成することで、カバーの重量を低くすることができる。
第７考案は、前記各袋６ａ〜６ｅを耐熱性合成樹脂素材で構成したことを特徴とする。
第７考案であれば、各袋を耐熱性合成樹脂素材で構成したので、火花などが袋上に落ちてきた場合でも安全性を高めることができる。
【００１０】
第８考案は、前記側板３に隣り合う側板３との間を連結する連結具を設けたことを特徴とする。
第８考案であれば、連結具によって隣り合う側板を連結することができるので、側板の間から雨が入ったりすることを抑制又は防止することができる。
【００１１】
第９考案は、前記連結具を、前記隣り合う側板３の端部周辺にそれぞれ設けられた開口１２で構成し、それらの開口１２間を紐１３等で結ぶことができるように構成したことを特徴とする。
第９考案であれば、紐等で開口間を結ぶことで隣り合う側板を固定できる。また、紐を結ばない状態で使用することも可能である。さらに、開口を介して側板に紐等を結びつける状態を変えることで、側板の天井板の開き角度を調整することができる利点もある。また、両側の紐をほどけば、側板を上に上げて小型電源装置の様子を見ることも簡単に行える。
【００１２】
第１０考案は、前記連結具を前記側板３の端部周辺に設けられた連結帯１６で構成し、その連結帯１６がマジックテープ１５（登録商標）を備えており、前記マジックテープ１５が隣り合う側板３の表面に設けられたマジックテープ１５と係合することによって前記側板３・３間の連結及び解除を行えるようにしたことを特徴とする。
第１０考案であれば、各側板を固定できるとともにマジックテープで側板間を簡単な操作で連結したり、解除することができる。
【００１３】
第１１考案は、前記天井板２、前記側板３の少なくとも一つの板に商標、ロゴマーク、警告文、又は案内文のような宣伝広告１７を記載したことを特徴とする。
第１１考案であれば、本考案に係るカバーが使用される場合は、外部の雨がかかる場所で使用されることを前提としているので、小型電源装置のメーカの宣伝、施工会社の宣伝文などをカバー側面に記載することで宣伝を行なうことができる。例えば、「工事でお迷惑をかけております。」というような文章を工事会社の商標などとともに記載することができる。
【考案の効果】
【００１４】
以上説明したように、本考案であれば、雨を防げ、使い勝手が良く軽量かつ安価な小型電源装置用カバーを提供できる。
【考案を実施するための最良の形態】
【００１５】
以下、本考案の実施の形態を図面に基づき説明する。
図１は本考案の第１実施形態を示す小型電源装置用カバーの斜視図、図２はカバーの使用状態の斜視図、図３はカバーの内側面の展開図、図４はカバーの外側面の展開図、図５はカバーを折り畳んだ状態の正面図、図６は図３のVI−VI線縦断面図、図７は図３のVII−VII線縦断面図である。
【００１６】
図１〜図３に示すように、このカバー１は四角形の天井板２の周囲に４枚の四角形状の側板３を揺動自在に接続して構成してある。そして図２に示すように、小型電源装置４の上に天井板２を配置し、側板３を小型電源装置４の側面を覆うように下げている。
側板３の高さは通常の小型電源装置４の高さよりも少し小さく形成してある。
【００１７】
また、図３及び図４に示すように、カバー１の天井板２と側板３が四角形の天井板の袋６ａを中心にして、袋６ａの四角形の４つの辺に４つの袋６ｂ〜６ｅを揺動自在に接続してある。
天井板２は袋６ａに金属製薄板８を入れて構成してある。各側板３は袋６ｂ〜６ｅにそれぞれ合成樹脂製薄板７を入れて構成してある。袋６ａ〜６ｅは耐熱性合成樹脂素材で構成してあるので、火花等に対しても安全性を高めることができる。
また、図４に示すように天井板２又は側板３に帯具９が取付けられ、帯具９の保持体２０が天井板２と側板３に設けられている。
帯具９を用いて小型電源装置４にカバー１を固定するためには、図２に示すように小型電源装置４にカバーを被せた状態で帯具９を上下方向に胴巻きにするようにして取付ける。
【００１８】
さらに、帯具９は図５に示すように、各側板３を天井板２に折り畳んだ状態で固定する帯具９としても機能する。つまり、帯具９をバックルなどの留め具１０を介して締付けることによってコンパクトに折りたたむことができ、持ち運びに便利なように構成してある。
なお、必要に応じて、図３の想像線（一点鎖線）で示すようにカバー１の内面に磁石５（固定手段の一例）を取付けて小型電源装置４にカバーを固定してもよい
【００１９】
また、図１〜図３に示すように、側板３の下側周辺に、隣り合う側板３・３間を連結する連結具を設けてある。図２に示す構成では、隣り合う一対の側板３・３の端部周辺にそれぞれ開口１２を設けることで連結具を構成し、それらの開口１２間を紐１３（図２参照）等で結ぶことができるようにしてある。この構成であれば、小型電源装置４の熱を逃がすために、天井板２に対する側板３の傾斜角度を調整したいときがあるが、側板３の間隔に応じて紐１３の結び方を変えることで、傾斜角度を自由に設定しやすくなる。一方、隣り合う側板３・３を四角形の箱のように間隔を詰めて連結すれば、側板３の間から雨が入ったりすることを防止することができる。
【００２０】
上記構成のカバーの使用方法について簡単に説明する。
まず、溶接現場には図５に示すような折り畳んだ状態でカバー１をコンパクトにして持ち運ぶようにする。
次に、図１に示すように、天井板２を上にした状態で側板３を垂れ下した状態にした後、図２に示すように小型電源装置４に被せる状態にして、帯具９を用いて小型電源装置４を上下方向の胴巻きにしてカバーを固定する。
そして、風が強いときなどは連結具を用いて側板の開口８・８同士を結びつけるようにする。必要でないときは特に紐１３などの連結具で結ばないようにすることもできる。
このような構成であれば、図２に示すように小型電源装置４の操作面１４に対応する側板３を持ち上げることで小型電源装置４の運転状態を確認及び調整できるので便利である。
【００２１】
このカバー１であれば、以下の利点を有する。
図３に示すように軽量な薄板８，７を耐熱性合成樹脂素材で製作された袋６ａ〜６ｅで覆う方式を採用しているので全体として非常に軽量であり、持ち運びが手軽に行える。
【００２２】
また、帯具９をカバー１に備えているので、風が強い場合にもカバー１が飛ばされることもない。さらに、側板３間は紐１３等の連結具によって、角度を広げて傘状に小型電源装置４を覆ったり、長方形の箱のように小型電源装置４を被せたりすることもでき、小型電源装置４の形状やその時の天気などの状況に応じて使い方を調整することができる。
【００２３】
（第２実施形態）
図８は本考案の第２実施形態を示すカバーの斜視図である。
この第２実施形態では、側板３の連結具を連結帯１６で構成している。その連結帯１６は、隣り合う側板３の一方側に連結帯１６の基端が固定され、連結帯１６の先端にはマジックテープ１５が設けられている。そして、その先端を他方側の側板３に設けられたマジックテープ１５に接着させることにより、隣り合う側板３を連結する。
さらに、側板３の表面には、商標、ロゴマーク、警告文、又は案内文のような宣伝広告１７が付されている。図８においては「○△建設」という会社名前が印刷されており、路を歩く人にも宣伝効果、注意効果を与えることができる。なお、宣伝広告１７は印刷以外にもプレートを入れる透明な袋を側板表面に設けるなど各種の方法が考えられる。
【００２４】
本考案は上記実施形態の構成に限らず、本考案の要旨の範囲内で種々の変形が可能である。
（１）溶接用の電源装置のみならず、建設現場等に必要な機器の電源を供給する小型の電源装置であれば同様に本考案に係るカバーを使用できる。
（２）前記実施形態では、磁石５は袋６ｂ・６ｄの内面だけに取付けた構成例が想像線で示してあるが、必要に応じて５つの袋６ａ〜６ｅに全て磁石５を設けて良い。なお、本考案においては、磁石５を一切設けず、帯具９などの固定手段のみで構成してもよい。
【図面の簡単な説明】
【００２５】
【図１】図１は本考案の第１実施形態を示す小型電源装置用カバーの斜視図。
【図２】図２はカバーの使用状態の斜視図。
【図３】図３はカバーの内側面の展開図。
【図４】図４はカバーの外側面の展開図
【図５】図５はカバーを折り畳んだ状態の正面図。
【図６】図６は図３のVI−VI線縦断面図。
【図７】図７は図３のVII−VII線縦断面図。
【図８】図８は本考案の第２実施形態を示す小型電源装置用カバーの斜視図。
【符号の説明】
【００２６】
１…小型電源装置用カバー、２…天井板、３…側板、４…小型電源装置、５…磁石（固定手段）、６，６ａ，６ｂ，６ｃ，６ｄ，６ｅ…袋、７…合成樹脂製薄板、８…金属製薄板、９…帯具（固定手段）、１２…開口（連結具）、１３…紐（連結具）、１５…マジックテープ、１６…連結帯（連結具）、１７…宣伝広告、２０…保持体。
【図１】
0003141975.tif 000003
【図２】
0003141975.tif 000004
【図３】
0003141975.tif 000005
【図４】
0003141975.tif 000006
【図５】
0003141975.tif 000007
【図６】
0003141975.tif 000008
【図７】
0003141975.tif 000009
【図８】
0003141975.tif 000010